【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
少なくとも１つのエネルギー発射手段（２０）、及び少なくとも１つの対応するエネルギー発射構造体（３０）を備えるサーフィン装置（１０）であって、前記少なくとも１つのエネルギー発射構造体は、そこからエネルギーを発射する（４０）ための複数のエネルギー発射位置（２２）を提供するように、前記エネルギー発射手段を支持するとともに位置決めし、前記エネルギー発射手段は、前記複数のエネルギー発射位置のそれぞれに対して、前記エネルギーの発射方向に所定の距離をおいて配置される仮想サーフィン面（９０）を提供するように、前記複数のエネルギー発射位置からエネルギーを発射するように構成され、前記エネルギー発射手段は、前記エネルギー発射位置から前記エネルギーを発射し、サーファーが、少なくとも部分的に前記発射エネルギーのみによって、少なくとも実質的に自然に前記仮想サーフィン面でサーフィン（７６）することを可能にするように構成されている、サーフィン装置。
【請求項２】
前記エネルギー発射手段及び前記エネルギー発射構造体は、前記サーファーが、前記発射されるエネルギーのみによって少なくとも実質的にサーフィンすることを可能にするように構成されている、請求項１に記載のサーフィン装置。
【請求項３】
前記エネルギー発射手段は、前記仮想サーフィン面に近接した位置からエネルギーを発射するように更に構成されている、請求項１又は２に記載のサーフィン装置。
【請求項４】
前記近接した位置は、前記仮想サーフィン面から約５ｍｍから約５０ｍｍの範囲の距離だけ離れている、請求項３に記載のサーフィン装置。
【請求項５】
前記エネルギー発射手段が流体（４０）を発射するように構成されている、請求項１〜４のいずれか一項又は複数項に記載のサーフィン装置。
【請求項６】
前記エネルギー発射手段は、１平方メートルあたり１，４７０．９９７５Ｐａ（約１５０ｋｇｆ）〜１平方メートルあたり４，９０３．３２５Ｐａ（約５００ｋｇｆ）の範囲の値のエネルギーを発射するように構成されている、請求項１〜５のいずれか一項又は複数項に記載のサーフィン装置。
【請求項７】
前記複数のエネルギー発射位置と前記仮想サーフィン面の間に配置される別のサーフィン面（８０）をさらに備える、請求項１〜６のいずれか一項又は複数項に記載のサーフィン装置。
【請求項８】
前記少なくとも１つのエネルギー発射手段は、前記他の面を介して前記エネルギーを発射するように構成される、請求項７に記載のサーフィン装置。
【請求項９】
前記エネルギー発射手段がエネルギーを発射するように構成され、１つ又は複数の前記エネルギー発射位置に関して、前記仮想サーフィン面に正接する正接面に対して約５度（２５０）から約３５度（２２０）の間の範囲の角度で構成されている、請求項１〜８のいずれか一項又は複数項に記載のサーフィン装置。
【請求項１０】
前記面は細長く、該細長い面の長手方向長さに少なくとも概して沿うサーフィン用に構成されている、請求項１〜９のいずれか一項又は複数項に記載のサーフィン装置。
【請求項１１】
前記エネルギー発射手段は、前記細長い面の長手方向の縁に対して約４５度（３２２）〜約１３５度（３２０）の範囲の角度で、１つ又は複数の前記エネルギー発射手位置に関し、エネルギーを発射するように構成されている、請求項１０に記載のサーフィン装置。
【請求項１２】
前記エネルギー発射角度は、１つ又は複数の前記エネルギー発射位置に関して、及びゼロ若しくは１つ又は複数の前記他のエネルギー発射位置から、静的若しくは動的又は静的と動的の双方で独立して、調節可能である請求項９又は１１に記載のサーフィン装置。
【請求項１３】
前記サーフィン面は、少なくとも部分的に海の波の形状をシミュレートするように、前記サーフィン用の形状である、請求項１〜１２のいずれか一項又は複数項に記載のサーフィン装置。
【請求項１４】
前記仮想サーフィン面の少なくとも一部分は実質的に水平である、請求項１〜１３のいずれか一項又は複数項に記載のサーフィン装置。
【請求項１５】
前記少なくとも実質的に水平な部分は実質的に平面である、請求項１４に記載のサーフィン装置。
【請求項１６】
前記仮想サーフィン面の少なくとも一部分は少なくとも部分的に流体塊に水没している、請求項１〜１５のいずれか一項又は複数項に記載のサーフィン装置。
【請求項１７】
前記仮想サーフィン面が前記流体塊（５２０）中に、約４００ｍｍの深さまで、少なくとも部分的に水没している、請求項１６に記載のサーフィン装置。
【請求項１８】
前記装置を、前記流体塊を介して少なくとも部分的に支持するように構成される、少なくとも１つの浮き機構（５３０）をさらに備える、請求項１６又は１７に記載のサーフィン装置。
【請求項１９】
少なくとも１つ又は複数の以下の特徴：１つ又は複数の前記エネルギー発射位置から発射されるエネルギーの量；１つ又は複数の前記エネルギー発射位置の間隔をおいた位置；１つ又は複数の前記エネルギー発射位置に近接する前記仮想サーフィン面の間隔をおいた位置；１つ又は複数の前記エネルギー発射位置に近接する前記仮想サーフィン面の形状；が１つ又は複数の上記エネルギー発射位置に関連して、若しくは、ゼロ又は１つ若しくは複数の他の前記エネルギー発射位置から、静的に若しくは動的に、又は静的と動的の双方で独立して調節可能である、請求項１〜１８のいずれか一項又は複数項に記載のサーフィン装置。
【請求項２０】
前記エネルギー発射構造体又はエネルギー発射手段、若しくは前記エネルギー発射構造体又はエネルギー発射手段の双方が、少なくとも１部分又は複数部分の前記仮想サーフィン面で距離をおいて位置調整するようにさらに構成される、請求項１〜１９のいずれか一項又は複数項に記載のサーフィン装置。
【請求項２１】
前記装置は、前記他の面から過剰な流体を除去するように構成される流体逃し手段（４２０）をさらに備える、請求項７又は８に記載のサーフィン装置。
【請求項２２】
前記流体逃し手段は前記サーフィンを修正するように構成される、請求項２１に記載のサーフィン装置。
【請求項２３】
前記修正が、前記サーフィンの１つ又は複数の以下の特徴：抗力；前記エネルギーが発射される角度；前記発射エネルギーの侵入；を変化させるように構成される、請求項２２に記載のサーフィン装置。
【請求項２４】
前記他の面が、接続されたモジュール（２３２）から構成される、請求項７又は８、及び請求項２１〜２３のいずれか一項又は複数項に記載のサーフィン装置。
【請求項２５】
サーフィンを可能とする方法であって、
ａ．少なくとも１つのエネルギー発射手段を提供し、少なくとも１つの対応するエネルギー発射構造体を提供するステップであって；前記少なくとも１つのエネルギー発射構造体は、そこからエネルギーを発射するための複数のエネルギー発射位置を提供するように、前記エネルギー発射手段を支持するとともに位置決めし、前記エネルギー発射手段は、前記複数のエネルギー発射位置のそれぞれに対し、前記エネルギー発射の方向に所定の距離をおいて配置される仮想サーフィン面を提供するようにエネルギーを発射するよう構成される、ステップ；
ｂ．前記エネルギー発射構造体を、複数の前記エネルギー発射位置を提供するように、前記エネルギー発射手段を支持するとともに位置決めするように構成するステップ；
ｃ．前記エネルギー発射手段を、前記対応する仮想サーフィン面を提供するように、前記複数のエネルギー発射位置からエネルギーを発射するように構成するステップであって、これにより、前記エネルギーの発射に際し、サーファーが少なくとも部分的に前記発射エネルギーのみによって、少なくとも実質的に自然に前記仮想サーフィン面上でサーフィンすることが可能となる、ステップを含む方法。
【請求項２６】
複数の部品からなるサーフィン装置キットであって、
ａ．少なくとも１つのエネルギー発射手段及び少なくとも１つの対応するエネルギー発射構造体を構成するための構成部品であって、前記少なくとも１つのエネルギー発射構造体は、そこからエネルギーを発射するための複数のエネルギー発射位置を提供するように、前記エネルギー発射手段を支持するとともに位置決めし、前記エネルギー発射手段は、前記複数のエネルギー発射位置に対して、前記エネルギーの発射方向に所定の距離をおいて配置される前記仮想サーフィン面を提供するように、エネルギーを発射するように構成される、構成部品；前記構成部品を、前記エネルギー発射手段及び構造体に構成するための組み立てに関する取扱説明書であって、前記複数のエネルギー発射位置を提供するように、前記エネルギー発射手段を、前記エネルギー発射構造体を介して支持するとともに位置決めするための組み立てに関する取扱説明書；及び、
ｂ．前記対応する仮想サーフィン面を提供するように、前記複数のエネルギー発射位置からエネルギーを発射することに関する取扱説明書であって、これによりサーファーが、少なくとも部分的に前記発射エネルギーのみによって、少なくとも実質的に自然に前記仮想サーフィン面上でサーフィンすることが可能となる取扱説明書、
を含む複数の部品からなるサーフィン装置キット。